(57)【要約】【課題】屋外で洗濯物を乾燥させる場合でも、衣類が変色したり、劣化することがなく、より迅速に乾燥させることのできる物干し用庇及び物干し用カーテンを提供する。【解決手段】巻回された紫外線透過防止フィルム１２ｂを引き出し可能な庇部１２と、引き出された紫外線透過防止フィルムの先端部を固定する固定部１７と、固定部を所定の高さに支持する支持部１３、１５、１６とを備える物干し用庇１１。庇部は、紫外線透過防止フィルムを備えたロールカーテンとすることができる。フレームを用いない簡単な構成によって、紫外線透過防止フィルムを通過した太陽光が洗濯物に照射され、紫外線による衣類の変色、劣化を防止する。また、巻回された紫外線透過防止フィルム２２ｂを引き出し可能なカーテン部２２と、カーテン部を庇の先端部に取り付けるための取付部２４とを備える物干し用カーテン２１。【選択図】図１
0003122312.tif 000002
【実用新案登録請求の範囲】
【請求項１】
巻回された紫外線透過防止フィルムを引き出し可能な庇部と、
引き出された前記紫外線透過防止フィルムの先端部を固定する固定部と、
該固定部を所定の高さに支持する支持部とを備えることを特徴とする物干し用庇。
【請求項２】
前記庇部は、前記紫外線透過防止フィルムを備えたロールカーテンからなることを特徴とする請求項１に記載の物干し用庇。
【請求項３】
前記支持部は、地面に立設されたパイプ部材と、該パイプ部材の頂点と地面とを繋ぐロープであることを特徴とする請求項１又は２に記載の物干し用庇。
【請求項４】
巻回された紫外線透過防止フィルムを引き出し可能なカーテン部と、
該カーテン部を庇の先端部に取り付けるための取付部とを備えることを特徴とする物干し用カーテン。
【請求項５】
前記カーテン部は、前記紫外線透過防止フィルムを備えたロールカーテンからなることを特徴とする請求項４に記載の物干し用カーテン。
【考案の詳細な説明】
【技術分野】
【０００１】
本考案は、物干し用庇及び物干し用カーテンに関し、特に、衣類の変色、劣化を防止し、迅速に洗濯物を乾燥させることのできる物干し用庇及び物干し用カーテンに関する。
【背景技術】
【０００２】
従来、洗濯した衣類等を乾燥させる際には、屋外、屋上等で太陽光及び風を利用したり、家屋の室内に干したり、乾燥機を用いたり、浴室を乾燥室として利用することも行われている。
【０００３】
しかし、乾燥機を使用したり、浴室を乾燥室として利用すると、電気エネルギーを消費することとなる。一方、室内干しを行うと、完全に洗濯物が乾くまでに時間がかかるなどの問題があった。また、屋外、屋上等で太陽光を利用すると、洗濯物を短期間で乾燥させることができるが、紫外線により衣類が変色したり、劣化するという問題があった。
【０００４】
そこで、本出願人は、上記問題点を解決するため、特許文献１において、紫外線が衣類等に照射されるのを防止するためなどの目的で、紫外線透過防止フィルムを支持するフレーム等で構成される物干し用庇を提案した。
【特許文献１】実用新案登録第３１１５５９６号公報
【考案の開示】
【考案が解決しようとする課題】
【０００５】
しかし、特許文献１の物干し用庇は、フレーム等を用いた多少大掛かりな構成であるため、設置コスト、及び取り付けに当たっての作業性に改善の余地があった。
【０００６】
そこで、本考案は、屋外で洗濯物を乾燥させる場合でも、衣類が変色したり、劣化することがなく、より迅速に乾燥させることができるとともに、より簡単かつ安価な構成を有する物干し用庇等を提供することを目的とする。
【課題を解決するための手段】
【０００７】
上記目的を達成するため、本考案は、物干し用庇であって、巻回された紫外線透過防止フィルムを引き出し可能な庇部と、引き出された前記紫外線透過防止フィルムの先端部を固定する固定部と、該固定部を所定の高さに支持する支持部とを備えることを特徴とする。
【０００８】
そして、本考案によれば、フレームを用いない簡単な構成によって、紫外線透過防止フィルムを通過した太陽光が洗濯物に照射され、紫外線による衣類の変色、劣化を防止することができる。また、これに加え、紫外線透過防止フィルムによって、庇の近傍における空気の上方への流れが規制されるため、紫外線透過防止フィルムの下方の、太陽によって暖められた暖かい空気が上方に逃げることがなく、暖かい雰囲気で洗濯物を乾燥させることができ、乾燥に要する時間を短縮することができる。特に、冬場にはこの時間短縮効果が大きい。
【０００９】
前記物干し用庇において、前記庇部を、前記紫外線透過防止フィルムを備えたロールカーテンで構成することができる。
【００１０】
また、前記支持部を、地面に立設されたパイプ部材と、該パイプ部材の頂点と地面とを繋ぐロープとで構成することができる。
【００１１】
また、本考案は、物干し用カーテンであって、巻回された紫外線透過防止フィルムを引き出し可能なカーテン部と、該カーテン部を庇の先端部に取り付けるための取付部とを備えることを特徴とする。
【００１２】
本考案によれば、庇の先端部に物干し用カーテンを取り付けるだけで、紫外線透過防止フィルムを通過した太陽光が洗濯物に照射されるため、紫外線による衣類の変色、劣化を防止することができる。また、これに加え、紫外線透過防止フィルムによって、庇の近傍における空気の上方への流れが規制されるため、庇の下方の、太陽によって暖められた暖かい空気が上方に逃げることがなく、暖かい雰囲気で洗濯物を乾燥させることができ、乾燥に要する時間を短縮することができる。特に、冬場にはこの時間短縮効果が大きい。
【００１３】
前記物干し用カーテンにおいて、前記カーテン部を、紫外線透過防止フィルムを備えたロールカーテンで構成することができる。
【考案の効果】
【００１４】
以上のように、本考案によれば、屋外で洗濯物を乾燥させる場合でも、衣類が変色したり、劣化することがなく、迅速に乾燥させることができるとともに、より簡単かつ安価な構成を備えた物干し用庇等を提供することができる。
【考案を実施するための最良の形態】
【００１５】
図１は、本考案にかかる物干し用庇の一実施の形態を示し、この物干し用庇１１は、紫外線透過防止フィルム１２ｂを備えたロールカーテン（庇部）１２と、ロールカーテン１２を既設の庇１１０に取り付ける取付部１４と、ロールカーテン１２を固定する固定部１７と、固定部１７を地面に固定するパイプ部材１３と、パイプ部材１３を支持するロープ１５と、ロープ１５を地面に固定する杭１６とで構成される。
【００１６】
ロールカーテン１２は、紫外線透過防止フィルム１２ｂを巻回してロールカーテンケース１２ａに収納し、紫外線透過防止フィルム１２ｂを引き出し可能にしたものである。この紫外線透過防止フィルム１２ｂは、例えば、３８０ｎｍ以下の紫外線の透過を防止することのできる高性能農業用ＰＯフィルム（シーアイ化成株式会社製「テキナシ５ＵＶ」等）を使用することができる。
【００１７】
パイプ部材１３は地面に立設され、頂点に、紫外線透過防止フィルム１２ｂを固定するための固定部１７が設けられ、ロールカーテンケース１２ａから引き出された紫外線透過防止フィルム１２ｂが固定される。
【００１８】
取付部１４は、ロールカーテン１２のロールカーテンケース１２ａを既設の庇１１０へ取り付けるために設けられる。
【００１９】
ロープ１５は、パイプ部材１３を支持するために、杭１６によって地面に固定され、パイプ部材１３の頂点と地面とを繋ぐ。
【００２０】
次に、上記構成を有する物干し用庇１１の動作について説明する。
【００２１】
物干し用庇１１を既設の庇１１０に取り付ける際には、まず、パイプ部材１３を地面に立設するとともに、杭１６を地面に打ち込み、ロープ１５を固定する。そして、パイプ部材１３の頂点と地面をロープ１５で繋ぐ。次に、既設の庇１１０に取付部１４を介してロールカーテン１２を取り付ける。さらに、紫外線透過防止フィルム１２ｂを引き出し、固定部１７で固定する。これで、ロールカーテン１２の物干し用庇１１への取り付けが完了する。
【００２２】
ロールカーテン１２の取り付け後に、紫外線透過防止フィルム１２ｂの下方に洗濯物１２０を干して乾燥させる。これにより、太陽光の紫外線が物干し用庇１１の紫外線透過防止フィルム１２ｂを透過せず、洗濯物１２０に照射されることがない。そのため、紫外線による衣類の変色、劣化を防止することができる。また、既設の庇１１０には、今まで通り洗濯物を干して乾燥させることができる。
【００２３】
尚、上記実施の形態においては、本考案にかかる物干し用庇を家屋の既設の庇に取り付ける場合を例にとって説明したが、物干し用庇を形成することができれば、既設の庇以外の他の場所にも取り付けることができ、建物の外壁や、屋上等に設置することもできる。
【００２４】
図２は、本考案にかかる物干し用カーテンの一実施の形態を示し、この物干し用カーテン２１は、紫外線透過防止フィルム２２ｂを備えたロールカーテン（カーテン部）２２と、ロールカーテン２２を既設の庇２１０に取り付ける取付部２４とで構成される。
【００２５】
ロールカーテン２２は、紫外線透過防止フィルム２２ｂを巻回してロールカーテンケース２２ａに収納し、紫外線透過防止フィルム２２ｂを引き出し可能にしたものである。この紫外線透過防止フィルム２２ｂには、上述の高性能農業用ＰＯフィルム（シーアイ化成株式会社製「テキナシ５ＵＶ」等）を使用することができる。
【００２６】
次に、上記構成を有する物干し用カーテン２１の動作について説明する。
【００２７】
家屋２００の既設の庇２１０に、物干し用カーテン２１の上端に備えられた取付部２４によりロールカーテン２２を取り付ける。そして、紫外線透過防止フィルム２２ｂを下方に引き下げる。これで、物干し用カーテン２１の取り付けが完了する。
【００２８】
取り付け後に、既設の庇２１０の下に、洗濯物２２０を干して乾燥させる。これにより、庇２１０で防止しきれない太陽光の紫外線は、物干し用カーテン２１を透過せず、洗濯物２２０に照射されることがない。そのため、紫外線による衣類の変色、劣化を防止することができる。
【００２９】
尚、上記実施の形態においては、本考案にかかる物干し用カーテンを家屋の庇に取り付ける場合を例にとって説明したが、家屋の庇以外にも、物干し用庇を形成することができれば、他の場所に取り付けることも可能である。
【図面の簡単な説明】
【００３０】
【図１】本考案にかかる物干し用庇の一実施の形態を示す図であって、（ａ）は正面図、（ｂ）は側面図である。
【図２】本考案にかかる物干し用カーテンの一実施の形態を示す図であって、（ａ）は正面図、（ｂ）は側面図である。
【符号の説明】
【００３１】
１１  物干し用庇
１２  ロールカーテン
１２ａ  ロールカーテンケース
１２ｂ  紫外線透過防止フィルム
１３  パイプ部材
１４  取付部
１５  ロープ
１６  杭
１７  固定部
１００  家屋
１１０  庇
１２０  洗濯物
２１  物干し用カーテン
２２  ロールカーテン
２２ａ  ロールカーテンケース
２２ｂ  紫外線透過防止フィルム
２４  取付部
２００  家屋
２１０  庇
２２０  洗濯物
【図１】
0003122312.tif 000003
【図２】
0003122312.tif 000004